(57)【要約】【課題】剥離紙の剥離、帯状脱気手段の粘着・固定、剥離紙の再装着からなる一連の作業を省略し、帯状脱気手段の配設に伴う作業を簡素化し且つ粘着層の過渡的な外界露出を回避する。【解決手段】剥離材(8)は、被防水面と接したときに被防水面との間に微細な通気路を形成する下側表層を有するシート又はフィルムからなる。剥離材には、帯状脱気手段の輪郭に相応した帯域に手指で分離可能な切断線又は切込み(10)が形成される。剥離材を粘着層(7)から剥離することにより粘着面に残留した剥離材の残留帯域(3)によって、防水シート(1)の膨れを防止する帯状脱気手段が被防水面と粘着層との間に形成される。【選択図】図１
2011137294.tif 000002
【特許請求の範囲】
【請求項１】
屋根又は屋上の被防水面に粘着可能な下側粘着面を剥離材によって被覆した構成を有する防水シートに適用され、防水シートの膨れを防止する帯状脱気手段を形成する防水シートの脱気構造において、
前記剥離材は、被防水面と接したときに被防水面との間に微細な通気路を形成する下側表層を有するシート又はフィルムからなり、
前記剥離材には、前記帯状脱気手段の輪郭に相応した帯域の縁に手指で分離可能な切断線又は切込みが形成され、
前記剥離材を前記粘着層から剥離することにより前記粘着面に残留した前記剥離材の残留帯域によって、防水シートの膨れを防止する帯状脱気手段を被防水面と前記粘着層との間に形成するようにしたことを特徴とする防水シートの脱気構造。
【請求項２】
前記シート又はフィルムは、前記通気路を形成するための多数の微細な凹凸、溝、起伏、不陸又は突起を下側面に備えることを特徴とする請求項１に記載の脱気構造。
【請求項３】
屋根の被防水面に粘着可能な下側粘着面を剥離材によって被覆した構成を有する防水シートに対し、防水シートの膨れを防止する帯状脱気手段を形成する工程を含む防水シートの製造方法において、
前記剥離材として、被防水面と接したときに被防水面との間に微細な通気路を形成する下側表層を有するシート又はフィルムを使用し、
前記剥離材を前記粘着層から剥離することにより残留した前記剥離材の部分によって前記帯状脱気手段を被防水面と前記粘着層との間に形成すべく、前記粘着面に粘着した前記剥離材に対して、前記帯状脱気手段の輪郭に相応した帯域の縁に、手指で分離可能な切断線又は切込みを形成することを特徴とする防水シートの製造方法。
【請求項４】
前記シート又はフィルムとして、前記通気路を形成する多数の微細な凹凸、溝、起伏、不陸又は突起を下側面に備えた紙製基材、繊維質基材又は合成樹脂製基材のシート又はフィルムを用いたことを特徴とする請求項３に記載の製造方法。
【請求項５】
レーザー切断機、回転刃又はダイ・カッターによって前記切断線又は切込みを形成することを特徴とする請求項３又は４に記載の製造方法。
【発明の詳細な説明】
【技術分野】
【０００１】
本発明は、防水シートの脱気構造及びその製造方法に関するものであり、より詳細には、防水シートの膨れ等を防止すべく防水シートの下側粘着面に帯状脱気手段として設けられた防水シートの脱気構造及びその製造方法に関するものである。
【背景技術】
【０００２】
一般に、ＲＣ（鉄筋コンクリート）、ＰＣａ（プレキャストコンクリート）、ＡＬＣ（軽量気泡コンクリート）等の屋上下地又は屋根下地には、アスファルト防水材、シート防水材等の防水シートや、塗膜防水材等によって屋根面に不透水性皮膜を形成するメンブレン防水が施工される。
【０００３】
メンブレン防水は、陸屋根等のように実質的に水平な屋根面又は屋上面、或いは、水勾配が比較的小さい屋根面又は屋上面を防水するのに適している。
【０００４】
他方、水勾配が比較的大きい傾斜屋根には、瓦、金属板、屋根葺材等が一般に施工される。本発明者は、シングル等の屋根葺材の裏面（下面）に防水シートを一体化してなる防水シート型の屋根葺材を特許第3388208号公報、特許第4383612号公報、特開2002-21262号公報、特開2001-164712号公報等（特許文献１〜４）において提案している。
【０００５】
防水シートを屋根面等の被防水面に敷設して不透水性の防水層を被防水面に形成し、或いは、裏面（下面）に防水シートを備えた屋根葺材を屋根面（被防水面）に敷設する場合、防水シートは、その下側粘着面を被防水面に密着した状態で被防水面に敷設される。
【０００６】
このように防水シートの粘着面を被防水面に密着せしめた屋根材又は防水材においては、使用時に防水層の「膨れ」現象が生じ易いことが知られている。この現象は、沖縄地方等のように日射が強く、気温が高い地域において顕著に観られる現象である。これは、ＲＣスラブ等の屋根下地に含まれた水分が気化し、防水シートと屋根下地面との間に水蒸気等が滞留し、水蒸気等の気体膨張圧によって防水シートが局所的に膨れることに起因するものと考えられる。
【０００７】
このような防水層の膨れの現象を回避すべく、防水シートの下側に滞留した気体又は蒸気を分散して屋外に排気するための帯状脱気手段を防水層の裏面に形成する技術が、本発明者の出願に係る前述の特許第3388208号公報、特許第4383612号公報、特開2002-21262号公報、特開2001-164712号公報等（特許文献１〜４）に記載されている。帯状脱気手段は、微細な凹凸、溝等を有する帯状の通気路形成部材を防水シートの下側粘着層に貼着することにより、防水シートの下面に配設される。
【０００８】
他の構成の脱気手段を備えた防水シートとして、例えば、特開2005-188091号公報（特許文献５）には、繊維素材、発泡素材、中空素材等の帯状通気性素材を通気路形成部材として防水シートの下側粘着面に埋込んだ構成の脱気構造を有する防水シートが記載されている。
【０００９】
また、特開2000-310014号公報（特許文献６）には、屋上又は屋根のコンクリートスラブ上面に硬質の通気路形成部材を格子状に埋込んだ構成を有する脱気構造が記載されている。
【先行技術文献】
【特許文献】
【００１０】
【特許文献１】特許第3388208号公報
【特許文献２】特許第4383612号公報
【特許文献３】特開2002-21262号公報
【特許文献４】特開2001-164712号公報
【特許文献５】特開2005-188091号公報
【特許文献６】特開2000-310014号公報
【発明の概要】
【発明が解決しようとする課題】
【００１１】
しかしながら、特開2005-188091号公報（特許文献５）に記載された防水シートの脱気構造によれば、帯状通気性素材を防水層の下側粘着層に埋込むための困難且つ煩雑な製造工程が必要とされる。
【００１２】
また、特開2000-310014号公報（特許文献６）に記載された脱気構造によれば、防水工事の前に通気路形成部材をコンクリートスラブ上面に埋込む必要があり、これは、現実的に極めて困難且つ煩雑な現場作業である。
【００１３】
他方、特許第3388208号公報、特許第4383612号公報、特開2002-21262号公報及び特開2001-164712号公報（特許文献１〜４）に記載された脱気構造は、テープ状の通気路形成部材を防水シートの粘着面と剥離紙との間に介挿した構成を有する。このような通気路形成部材を備えた防水シートによれば、建設現場において剥離紙を粘着層から剥がして屋根下地面等の被防水面に粘着層を粘着せしめることにより、粘着層と屋根下地面等との間に通気路を形成することができるので、通気路形成部材を粘着層又はコンクリートスラブ面に埋込む困難且つ煩雑な作業を要しない。
【００１４】
しかし、特許文献１〜４の通気路形成部材を防水シートの粘着面と剥離紙との間に介挿するには、粘着層を被覆する剥離紙を剥がして粘着層を過渡的に露出させた後、通気路形成部材を粘着面の所定位置に位置決めし、これを粘着層の粘着力により粘着面に固定し、しかる後、粘着面を剥離紙によって再被覆しなければならない。
【００１５】
図６及び図７には、通気路形成部材を防水シートの粘着面と剥離紙との間に介挿した構造を有する防水シート型屋根葺材が示されている。
【００１６】
図６に示す屋根葺材５０は、合成繊維・合成ゴム層を有する防水シート５１と、銅板等の金属板５２とから構成される。防水シート５１は、上側粘着層５５及び下側粘着層５７（図６（Ｄ））を備え、粘着層５５、５７は、剥離紙５６、５８によって被覆されており、帯状不織布等の帯状の通気路形成部材５３が、粘着層５７と剥離紙５８との間に介挿される。
【００１７】
図７に示す屋根葺材７０は、多数の着色砂等の表層材７２を圧着又は接着した防水シート７１より構成される。図７（Ｄ）に示すように、防水シート７１は、合成繊維不織布層７９の両側に改質アスファルト層７４を備えており、粘着層７５、７７は、剥離紙７６、７８によって被覆される。帯状の通気路形成部材、例えば、帯状の不織布が粘着層５７と剥離紙５８との間に介挿される。帯状の通気路形成部材７３が、粘着層７７と剥離紙７８との間に介挿されており、通気路形成部材７３は、複数の溝、突条又は突起等を下側面に備えた帯状樹脂成形品又は樹脂製テープ材等からなる。
【００１８】
図５は、このような通気路形成部材５３、７３を粘着層５７、７７と剥離紙５８、７８との間に介挿するための工程を段階的に示す斜視図である。図５（Ａ）に示す如く、防水シート５１、７１は、下側の剥離紙５８、７８によって粘着層５７、７７を完全に被覆した状態で供給される。通気路形成部材５３、７３を防水シート５１、７１に装着する作業は、図５（Ａ）に示すように下側の剥離紙５８、７８を上側に向けた上下逆転状態で実施される。
【００１９】
作業者等は、図５（Ｂ）に示す如く、剥離紙５８、７８を剥離して粘着層５７、７７を過渡的に露出させた後、図５（Ｃ）に示すように通気路形成部材５３、７３を粘着層５７、７７上に位置決めし且つ貼着し、しかる後、図５（Ｄ）に示すように剥離紙５８、７８によって粘着層５７、７７を再被覆する。この作業は、人手に依存した人為的作業であり、これを機械化することは極めて困難である。
【００２０】
即ち、このように剥離紙の剥離、通気路形成部材の位置決め及び貼着、そして、剥離紙による粘着面の再被覆の作業は、多くの時間及び経費を要する極めて煩雑な人為的作業であり、これを機械化することは極めて困難である。しかも、このような作業の過程においては、剥離紙を過渡的に粘着層から剥がし、一時的にせよ粘着面を外界に露出しなければならない。これは、粘着層の所期の性能を確保する上でも望ましくないと考えられる。
【００２１】
本発明は、このような課題に鑑みてなされたものであり、その目的とするところは、剥離紙の剥離、帯状脱気手段の粘着・固定、そして、剥離紙による粘着面の再被覆からなる一連の作業を省略し、帯状脱気手段の配設に伴う作業を簡素化するとともに、粘着層の過渡的な外界露出を回避し得る防水シートの脱気構造及びその製造方法を提供することにある。
【課題を解決するための手段】
【００２２】
上記目的を達成すべく、本発明は、屋根又は屋上の被防水面に粘着可能な下側粘着面を剥離材によって被覆した構成を有する防水シートに適用され、防水シートの膨れを防止する帯状脱気手段を形成する防水シートの脱気構造において、
前記剥離材は、被防水面と接したときに被防水面との間に微細な通気路を形成する下側表層を有するシート又はフィルムからなり、
前記剥離材には、前記帯状脱気手段の輪郭に相応した帯域の縁に手指で分離可能な切断線又は切込みが形成され、
前記剥離材を前記粘着層から剥離することにより前記粘着面に残留した前記剥離材の残留帯域によって、防水シートの膨れを防止する帯状脱気手段を被防水面と前記粘着層との間に形成するようにしたことを特徴とする防水シートの脱気構造を提供する。
【００２３】
好ましくは、上記シート又はフィルムは、上記通気路を形成するための多数の微細な凹凸、溝、起伏、不陸又は突起を下側面に備える。
【００２４】
本発明の上記構成によれば、粘着層を露出させる領域と、剥離材を残留させる帯域とが切断線又は切込みによって予め区分されているので、防水シートを使用する際、施工作業者又は使用者等は、粘着層を露出させる領域の剥離材のみを剥離して取り外せば良く、これにより、微細な通気路を形成する下側表層を備えた剥離材が所定の帯域において粘着層上に残留する。この状態で防水シートを被防水面に施工すると、粘着層上に残留した帯状の剥離材は、被防水面と粘着層との間に帯状脱気手段を形成する。
【００２５】
本発明は又、屋根の被防水面に粘着可能な下側粘着面を剥離材によって被覆した構成を有する防水シートに対し、防水シートの膨れを防止する帯状脱気手段を形成する工程を含む防水シートの製造方法において、
前記剥離材として、被防水面と接したときに被防水面との間に微細な通気路を形成する下側表層を有するシート又はフィルムを使用し、
前記剥離材を前記粘着層から剥離することにより残留した前記剥離材の部分によって前記帯状脱気手段を被防水面と前記粘着層との間に形成すべく、前記粘着面に粘着した前記剥離材に対して、前記帯状脱気手段の輪郭に相応した帯域の縁に、手指で分離可能な切断線又は切込みを形成することを特徴とする防水シートの製造方法を提供する。
【００２６】
好ましくは、上記シート又はフィルムとして、上記通気路を形成する多数の微細な凹凸、溝、起伏、不陸又は突起を下側面に備えた紙製基材、繊維質基材又は合成樹脂製基材のシート又はフィルムが用いられる。
【００２７】
更に好ましくは、上記切断線又は切込みは、レーザー切断機、回転刃又はダイ・カッターによって形成される。
【００２８】
本発明の上記構成によれば、粘着層を露出させる領域と、剥離材を残留させる帯域とを区分する切断線又は切込みを剥離材に形成することにより、防水シートに対して帯状脱気手段を配設する作業が実質的に完了する。
【発明の効果】
【００２９】
本発明の上記構成によれば、剥離紙の剥離、帯状脱気手段の粘着・固定、そして、剥離紙による粘着面の再被覆からなる一連の作業を省略し、帯状脱気手段の配設に伴う作業を簡素化するとともに、粘着層の過渡的な外界露出を回避し得る防水シートの脱気構造及びその製造方法を提供することができる。
【図面の簡単な説明】
【００３０】
【図１】本発明の好適な実施形態に係る防水シートの製造方法及び使用方法を示す斜視図である。
【図２】図１に示す製造方法に従って製造された防水シート型屋根葺材の構成を示す正面図、平面図、側面図、底面図及び部分拡大断面図であり、屋根葺材は、屋根面に露出する金属板部分を有する。
【図３】図１に示す製造方法によって製造された他の防水シート型屋根葺材の構成を示す正面図、平面図、底面図、側面図及び部分拡大断面図であり、屋根葺材は、屋根面に露出する着色砂層を有する。
【図４】図１に示す製造方法によって製造されたシート防水材の構成を示す平面図、底面図、側面図及び部分拡大断面図である。
【図５】従来技術に係る防水シート製造方法を示す斜視図であり、通気路形成部材を粘着層と剥離紙との間に介挿する工程が段階的に示されている。
【図６】通気路形成部材を防水シートの粘着面と剥離紙との間に介挿した構造を有する従来の防水シート型屋根葺材の構成を示す正面図、平面図、側面図及び部分拡大断面図である。
【図７】通気路形成部材を防水シートの粘着面と剥離紙との間に介挿した構造を有する従来の他の防水シート型屋根葺材の構成を示す正面図、平面図、側面図及び部分拡大断面図である。
【発明を実施するための形態】
【００３１】
以下、本発明の好適な実施形態について詳細に説明する。
【００３２】
図１は、本発明の好適な実施形態に係る防水シートの製造方法及び使用方法を示す斜視図である。
【００３３】
粘着層７をポリエチレン製又はポリエステル製のシート状又はフィルム状剥離材８によって被覆してなる防水シート１が図１（Ａ）に示されている。剥離材８は、粘着層７を全体的且つ均一に被覆する紙製基材、繊維質基材又は合成樹脂製基材のシート又はフィルムからなる。剥離材８は、薄いシリコーン樹脂皮膜等の剥離層（図示せず）を粘着層７に接する側の面に有する。
【００３４】
剥離材８の露出面には、多数の微細な凹凸、溝、起伏、不陸又は突起（以下、「凹凸等」という。）が形成されている。剥離材８を剥離しない状態で防水シート１を被防水面上に敷設したとき、微細な凹凸等は、被防水面と粘着層７との間に多数の微細な通気路を形成する。
【００３５】
図１（Ｂ）に示すように、剥離材８には、切断線又は切込み１０がレーザー切断機、回転刃又はダイ・カッター等の切断手段によって形成される。切断手段は、シート状又はフィルム状の薄い剥離材８を切断する際、剥離材８の下側に位置する粘着層７を僅かに切断するが、粘着層７は自己復元作用を有するので、粘着層７の切断は、防水シート１の性能に実質的な影響を及ぼさない。
【００３６】
剥離材８は、連続する切断線又は切込み１０によって分断されるが、分断した剥離材８の各部は、いずれも粘着層７に粘着しているので、剥離材８及び粘着層７の一体性は、維持される。所望により、ミシン目等の如く、切断線又は切込み１０を不連続に形成することも可能である。
【００３７】
防水シート１を被防水面（図示せず）に施工する際、剥離材８は、図１（Ｃ）及び図１（Ｄ）に示す如く粘着層７から手指で剥離され、除去されるが、切断線又は切込み１０によって分断した部分は、剥離材８の残留帯域３として粘着層７上に残留する。残留帯域３は、被防水面と粘着層７との間に介挿され、残留帯域３上の微細な凹凸等は、被防水面と粘着層７との間に微細な通気路を形成する。
【００３８】
図２は、このような構成の防水シート１を備えた屋根葺材１１の構成を示す正面図、平面図、側面図、底面図及び部分拡大断面図である。
【００３９】
図２（Ａ）〜図２（Ｄ）に示すように、屋根葺材１１は、合成繊維・合成ゴム層を有する防水シート１と、銅板等の金属板２とから構成される。屋根葺材１１は、例えば、長さ約１ｍ×幅約３０ｃｍ程度の平面寸法を有する。図２（Ｅ）に示すように、防水シート１は、上側粘着層５及び下側粘着層７を備え、粘着層５、７は、剥離材６、８によって被覆されている。前述の如く、剥離材８の露出面には、屋根葺材１１を屋根面等の被防水面上に敷設したときに被防水面（図示せず）と粘着層７との間に通気路を形成する多数の微細な凹凸等が形成されている。剥離材８には、前述の切断線又は切込み１０が形成されている。
【００４０】
残留帯域３を除く剥離材８の部分を粘着層７から手指で剥離し、除去した状態が図２（Ｆ）に示されている。剥離材８を除去した領域には、粘着層７が露出する。屋根葺材１１を屋根面等の被防水面に施工したとき、粘着層７は、被防水面に粘着し、残留帯域３は、防水シート１の膨れを防止する帯状脱気手段を被防水面と粘着層７との間に形成する。
【００４１】
図３は、防水シート１と同様の防水シート２１を備えた他の構造の屋根葺材２０の構成を示す正面図、平面図、底面図、側面図及び部分拡大断面図である。
【００４２】
図３（Ａ）〜図３（Ｅ）に示すように、屋根葺材２０は、多数の着色砂等の表層材２２を圧着又は接着した防水シート２１より構成される。屋根葺材１１と同じく、屋根葺材２０は、長さ約１ｍ×幅約３０ｃｍ程度の平面寸法を有する。防水シート２１は、合成繊維不織布層２９の両側に改質アスファルト層２４を備えた構造のものであり、自着性を有する粘着層２５、２７を上下の改質アスファルト層２４の上側及び下側に備える。
【００４３】
前述の如く、剥離材２８の露出面には、屋根葺材２０を屋根面等の被防水面上に敷設したときに被防水面（図示せず）と粘着層２７との間に通気路を形成する多数の微細な凹凸等が形成されており、剥離材２８には、前述の切断線又は切込み１０が形成されている。
【００４４】
残留帯域２３を除く剥離材２８の部分を粘着層２７から手指で剥離し、除去した状態が図３（Ｆ）に示されている。剥離材２８を除去した領域には、粘着層２７が露出する。屋根葺材２０を屋根面等の被防水面上に施工したとき、粘着層２７は、被防水面に粘着し、残留帯域２３は、防水シート２１の膨れを防止する帯状脱気手段を被防水面と粘着層２７との間に形成する。
【００４５】
図４は、シート防水材３１の構成を示す平面図、底面図、側面図及び部分拡大断面図である。
【００４６】
図４には、陸屋根の屋根面等に施工される露出単層型のシート防水材３０が示されており、シート防水材３０は、前述の屋根葺材１１、２０よりもかなり大きい平面寸法、例えば、長さ約８ｍ×幅約１ｍ程度の平面寸法を有する。
【００４７】
シート防水材３０は、前述の屋根葺材２０と実質的に同じ構造を有し、図４（Ａ）〜図４（Ｄ）に示す如く、多数の着色砂等の表層材３２を圧着又は接着した防水シート３１より構成される。防水シート３１は、合成繊維不織布層３９の両側に改質アスファルト層３４を備えた構造のものであり、自着性を有する粘着層３５、３７を上下の改質アスファルト層３４の上側及び下側に備える。
【００４８】
前述の如く、剥離材３８の露出面には、シート防水材３０を被防水面上に敷設したときに被防水面（図示せず）と粘着層３７との間に通気路を形成する多数の微細な凹凸等が形成されており、剥離材３８には、前述の切断線又は切込み１０が形成されている。
【００４９】
残留帯域３３を除く剥離材３８の部分を粘着層３７から手指で剥離し、除去した状態が図４（Ｅ）に示されている。剥離材３８を除去した領域には、粘着層３７が露出する。シート防水材３０を屋根面等の被防水面に施工したとき、粘着層３７は、被防水面に粘着し、残留帯域３３は、防水シート３１の膨れを防止する帯状脱気手段を被防水面と粘着層３７との間に形成する。
【００５０】
以上、本発明の好適な実施形態及び実施例について詳細に説明したが、本発明は、上記実施形態及び実施例に限定されるものではなく、特許請求の範囲に記載された本発明の範囲内において種々の変更又は変形が可能であり、かかる変更又は変形例も又、本発明の範囲内に含まれるものであることはいうまでもない。
【００５１】
例えば、通気性を有する不織布、フェルト等の繊維素材又は繊維材料を剥離材として使用することも可能である。
【００５２】
また、残留帯域が防水シートの外縁から外方に突出するように剥離材のサイズ、形状等を設定しても良く、例えば、残留帯域の形態として、斜め方向のストライプ状、波形、格子状等の各種パターンを採用することができ、或いは、残留帯域をスポット状に配置することも可能である。
【産業上の利用可能性】
【００５３】
本発明によれば、剥離紙の剥離、帯状脱気手段の粘着・固定、そして、剥離紙による粘着面の再被覆からなる一連の作業を省略し、帯状脱気手段の配設に伴う作業を簡素化するとともに、粘着層の過渡的な外界露出を回避し得る防水シート構造及びその製造方法を提供することができる。
【符号の説明】
【００５４】
１、２１、３１  防水シート
１１、２０  屋根葺材
３、２３、３３  残留帯域
７、２７、３７  粘着層
８、２８、３８  剥離材
１０  切断線又は切込み
３０  シート防水材
【図１】
2011137294.tif 000003
【図２】
2011137294.tif 000004
【図３】
2011137294.tif 000005
【図４】
2011137294.tif 000006
【図５】
2011137294.tif 000007
【図６】
2011137294.tif 000008
【図７】
2011137294.tif 000009